(57)【要約】【課題】除菌すすぎが行われた後、脱水工程において洗濯物の偏りが大きく脱水工程が中止された場合に、ドラム内のオゾン濃度を短時間で低下させて、洗濯機のドアの開放を可能とする。【解決手段】本発明のドラム式洗濯機は、筐体内に配置されたドラムに給水を行うためのオゾン水給水路と、オゾン給水路内にオゾンを発生させるオゾン発生装置と、ドラム内と洗濯機本体の外部とを連通させる排気路と、ドラム内の洗濯物の偏りを検出する偏芯検出手段とを備え、オゾン発生装置で発生したオゾンがドラムに供給された状態ですすぎを行う除菌すすぎ工程を行った後で脱水工程を行うものであって、脱水工程において偏芯検出手段で検出される洗濯物の偏りが所定の偏り以上であることにより脱水工程が中止された場合、ドラム内の洗濯物がドラム内の中央部を通過するようにドラムを回転させるオゾン除去運転が行われる。【選択図】図５
2020068989.tif 000002
【特許請求の範囲】
【請求項１】
洗濯機本体内に配置されたドラムに給水を行うための給水路と、前記給水路内にオゾンを発生させるオゾン発生装置と、前記ドラム内と前記洗濯機本体の外部とを連通させる排気路と、前記ドラム内の洗濯物の偏りを検出する偏芯検出手段とを備え、
前記オゾン発生装置で発生したオゾンが前記ドラムに供給された状態ですすぎを行う除菌すすぎ工程を行った後で脱水工程を行うものであって、
脱水工程において前記偏芯検出手段で検出される洗濯物の偏りが所定の偏り以上であることにより脱水工程が中止された場合、前記ドラム内の洗濯物が前記ドラム内の中央部を通過するように前記ドラムを回転させるオゾン除去運転が行われることを特徴とするドラム式洗濯機。
【請求項２】
前記オゾン除去運転は、前記ドラムを連続的に回転させることにより行われることを特徴とする請求項１に記載のドラム式洗濯機。
【請求項３】
前記オゾン除去運転における前記ドラムの回転数は、４０〜６０ｒｐｍであることを特徴とする請求項２に記載のドラム式洗濯機。
【請求項４】
前記ドラムは、水平方向又は傾斜方向に延びる回転軸周りに回転可能に構成され、
正面視で前記ドラムの上方において前記ドラム内の中央部に対して片側の領域には、前記排気路と連通する排気口が配置されており、
前記オゾン除去運転では、前記ドラムの下端部が前記排気口側に移動するように前記ドラムが回転することを特徴とする請求項１〜３のいずれかに記載のドラム式洗濯機。
【請求項５】
前記ドラムの開口部を開閉するドアをロック状態またはロック解除状態に切り替えるドアロック装置を備え、
前記ドアロック装置は、脱水工程が行われている際に前記ドアをロック状態にすると共に、脱水工程が中止された場合、前記オゾン除去運転が行われた後で、前記ドアをロック解除状態にするように制御されることを特徴とする請求項１〜４のいずれかに記載のドラム式洗濯機。
【発明の詳細な説明】
【技術分野】
【０００１】
本発明は、例えば、洗い工程、すすぎ工程及び脱水工程を行うドラム式洗濯機に関する。
【背景技術】
【０００２】
従来、コインランドリーなどで使用される業務用のドラム式洗濯機として、乾燥機能を有しないドラム式洗濯機がある。このドラム式洗濯機では、洗い工程から、すすぎ工程、脱水工程までが自動的に行われる。
【先行技術文献】
【特許文献】
【０００３】
【特許文献１】特開２０１８−３３５１２号公報
【発明の概要】
【発明が解決しようとする課題】
【０００４】
従来のドラム式洗濯機において、ドラム内にオゾンを供給し、オゾン水により洗濯物をすすぐ工程（いわゆる除菌すすぎ）を行うことが考えられる。したがって、このドラム式洗濯機では、オゾン発生装置によりオゾンを発生させ、そのオゾンがドラム内に供給されるが、ドラム内に供給されたオゾンの全てが水に溶け込まないことから、オゾンがドラム内に充満する。通常の運転では、除菌すすぎが行われた後、脱水工程が行われて洗濯が終了することから、洗濯が適正に終了した場合、ドラム内のオゾン濃度は低くなっており、ドラム式洗濯機のドアを開放しても問題はない。
【０００５】
図８は、洗濯が適正に終了した場合のドラム内の状態変化を示す模式図である。脱水工程の開始時は、図８（ａ）に示すように、ドラム内のオゾン濃度が高い。その後、ドラムの回転数が上昇して脱水運転が行われると、図８（ｂ）及び図８（ｃ）に示すように、ドラム内の洗濯物がドラムの周壁に貼りついた状態で、ドラムが回転して洗濯物に含まれた水が脱水される。脱水工程が適正に行われた場合、ドラム内のオゾンは排気口から排気されることから、図８（ｄ）に示すように、脱水工程の終了時にはドラム内のオゾン濃度は低下している。
【０００６】
しかしながら、脱水工程において洗濯物の偏りが大きいと脱水の立ち上げができない場合がある。ドラム式洗濯機では、脱水工程が中断された場合、洗濯物のほぐし運転を行った後で脱水工程が再開されるが、その後、脱水工程の中断が所定回数繰り返されると、脱水の立ち上げができないことから、脱水工程が中止される。その場合、ドラム式洗濯機の表示部にエラー表示をして、ユーザに洗濯物のほぐし動作を促す処理が行われる。その際、洗濯が適正に終了してないことから、ドラム内のオゾン濃度は十分に低くなっていない。
【０００７】
図９は、洗濯が適正に終了しなかった場合のドラム内の状態変化を示す模式図である。脱水工程の開始時は、図９（ａ）に示すように、ドラム内のオゾン濃度が高い。その後、ドラムの回転数が上昇して脱水運転が行われるが、図９（ｂ）及び図９（ｃ）に示すように、ドラム内の洗濯物の偏りが大きく、ドラムの回転が停止されてしまう。その際、ドラム内のオゾンの一部は排気口から排気されるが、その後、ほぐし運転が行われた後で脱水運転が再開されても、すぐに中止されることから、ドラム内のオゾンのほとんどは排気口から排気されない。
【０００８】
そのため、洗濯物の偏りが解消されないことから、脱水工程を中止してエラー表示を行った場合、図９（ｄ）に示すように、ドラム内のオゾン濃度は十分に低下していない。したがって、ドラムが停止しているにもかかわらず、ドラム内のオゾン濃度が十分に低下するまで、ドラム式洗濯機のドアを開放することができない。よって、ユーザは、洗濯物のほぐし動作を行うことができないことから、ドラム式洗濯機の運転が長時間停止されることになる。
【０００９】
また、業務用のドラム式洗濯機として、乾燥機能を有するドラム式洗濯機がある。このドラム式洗濯機では、洗い工程から、すすぎ工程、脱水工程、乾燥工程までが自動的に行われる。したがって、乾燥工程まで行うドラム式洗濯機では、除菌すすぎが行われた後、乾燥工程においてドラム内の空気が排気される際に、ドラム内のオゾンも除去されることから、洗濯が終了したときには、ドラム内のオゾン濃度は低くなっており、ドラム式洗濯機のドアを開放しても問題はない。
【００１０】
但し、乾燥工程まで行うドラム式洗濯機においても、除菌すすぎが行われた後、脱水工程において洗濯物の偏りが大きく脱水の立ち上げができない場合、脱水工程が中止される。その際、乾燥工程まで行うドラム式洗濯機では、乾燥工程用のファンを駆動することによりドラム内のオゾンを排気して、ドラム内のオゾン濃度を低下させることが考えられる。しかしながら、例えば乾燥工程用のファンが故障している場合、乾燥工程まで行うドラム式洗濯機においても、ドラム式洗濯機の運転が長時間停止されることになる。
【００１１】
本発明は、除菌すすぎが行われた後、脱水工程において洗濯物の偏りが大きく脱水工程が中止された場合に、ドラム内のオゾン濃度を短時間で低下させて、ドラム式洗濯機のドアの開放を可能とするドラム式洗濯機を提供することを目的としている。
【課題を解決するための手段】
【００１２】
本発明の発明者は、検討を行った結果、脱水工程において洗濯物の偏りが大きく脱水工程が中止された場合にドラム内のオゾン濃度を短時間で低下させる方法を検討した。
【００１３】
脱水工程が中止された場合にドラム内のオゾンを低減させる方法として、オゾンを排気口から排気する方法や、ドラムを回転させて衝突させることによりオゾンを消費する方法などが考えられる。しかしながら、脱水工程が中止されるのは、洗濯物の偏りが大きいからであり、ドラムを回転させるとしても、ドラムの回転数を高い回転数に上昇させるのは困難である。したがって、ドラムを回転させて衝突させることによりオゾンを消費する方法は有効でない。
【００１４】
よって、オゾンを排気口から排気してドラム内のオゾンを低減させることになるが、本発明の発明者は、脱水工程が中止された場合に、ドラム内のオゾン濃度はドラム内の中央部において高いという知見を得た。
【００１５】
そこで、本発明の発明者は、ドラムの回転数を種々変化させて、ドラム内のオゾン濃度の変化を評価する試験を行った。
【００１６】
（１）ドラムの回転数が低すぎる場合、ドラム内の下部にある洗濯物がドラムの周壁に沿って持ち上がらなかった。そのため、ドラムを回転させない場合と同様に、ドラム内のオゾン濃度は、長時間経過しなければ低下しなかった。
【００１７】
（２）ドラムの回転数が高すぎる場合、ドラム内の洗濯物がドラムの周壁に貼りついた状態でドラムが回転するため、ドラム内の中央部にあるオゾンは排気口からあまり排気されなかった。そのため、ドラムを回転させない場合と同様に、ドラム内のオゾン濃度は、長時間経過しなければ低下しなかった。
【００１８】
（３）ドラムの回転数が所定の回転数である場合、ドラム内の下部にある洗濯物がドラムの周壁に沿って持ち上げられ、その後、洗濯物が、ドラムの周壁から離れて、ドラム内の中央部を通過するように上方から下方に向かって落下した。その際、洗濯物がドラム内の中央部を通過することにより、ドラム内の中央部にあるオゾンが拡散して排気路から排気されやすくなったと考えられる。したがって、ドラムを回転させない場合と比べて、ドラム内のオゾン濃度は短時間で低下した。
【００１９】
本発明の発明者は、上述の試験結果から、脱水工程が中止された場合、ドラムを所定回転数で回転させて、洗濯物がドラム内の中央部を通過させることにより、ドラム内のオゾン濃度を短時間で低下させることができることを見出した。
【００２０】
すなわち、本発明のドラム式洗濯機は、洗濯機本体内に配置されたドラムに給水を行うための給水路と、前記給水路内にオゾンを発生させるオゾン発生装置と、前記ドラム内と前記洗濯機本体の外部とを連通させる排気路と、前記ドラム内の洗濯物の偏りを検出する偏芯検出手段とを備え、前記オゾン発生装置で発生したオゾンが前記ドラムに供給された状態ですすぎを行う除菌すすぎ工程を行った後で脱水工程を行うものであって、脱水工程において前記偏芯検出手段で検出される洗濯物の偏りが所定の偏り以上であることにより脱水工程が中止された場合、前記ドラム内の洗濯物が前記ドラム内の中央部を通過するように前記ドラムを回転させるオゾン除去運転が行われることを特徴とする。
【００２１】
本発明のドラム式洗濯機において、前記オゾン除去運転は、前記ドラムを連続的に回転させることにより行われることが好適である。
【００２２】
本発明のドラム式洗濯機において、前記オゾン除去運転における前記ドラムの回転数は、４０〜６０ｒｐｍであることが好適である。
【００２３】
本発明のドラム式洗濯機において、前記ドラムは、水平方向又は傾斜方向に延びる回転軸周りに回転可能に構成され、正面視で前記ドラムの上方において前記ドラム内の中央部に対して片側の領域には、前記排気路と連通する排気口が配置されており、前記オゾン除去運転では、前記ドラムの下端部が前記排気口側に移動するように前記ドラムが回転することが好適である。
【００２４】
本発明のドラム式洗濯機において、前記ドラムの開口部を開閉するドアをロック状態またはロック解除状態に切り替えるドアロック装置を備え、前記ドアロック装置は、脱水工程が行われている際に前記ドアをロック状態にすると共に、脱水工程が中止された場合、前記オゾン除去運転が行われた後で、前記ドアをロック解除状態にするように制御されることが好適である。
【発明の効果】
【００２５】
本発明のドラム式洗濯機では、除菌すすぎ工程を行った後の脱水工程において、洗濯物の偏りが所定の偏り以上であることにより脱水工程が中止された場合、ドラム内の洗濯物がドラム内の中央部を通過するようにドラムを回転させるオゾン除去運転が行われる。したがって、脱水工程が中止された際に、ドラム内の中央部にあるオゾンが拡散して排気路から排気されやすくなる。よって、脱水工程が中止された場合に、ドラム内のオゾン濃度を短時間で低下させて、洗濯機のドアを開放することが可能となる。
【００２６】
本発明のドラム式洗濯機では、オゾン除去運転において、ドラムが連続的に回転することにより、ドラムの下部にある洗濯物をドラムの周壁に沿って持ち上げ、その後、洗濯物がドラムの中央部を通過するように移動させる動作が繰り返される。したがって、ドラム内のオゾン濃度を効率よく低下させることが可能となる。
【００２７】
本発明のドラム式洗濯機では、オゾン除去運転において、ドラムの下部にある洗濯物をドラムの周壁に沿って持ち上げ、その後、洗濯物をドラムの中央部を通過するように移動させることが可能である。
【００２８】
本発明のドラム式洗濯機では、ドラムの下端部が、ドラムの上方において排気路と連通する排気口が配置された側に移動するように回転することから、ドラム内において排気口に向かう空気の流れが形成され、ドラム内のオゾンが排気口に向かって流れやすい。したがって、ドラム内のオゾンを排気口からより短時間で排気できる。
【００２９】
本発明のドラム式洗濯機では、脱水工程が中止された場合、オゾン除去運転が行われることによりドラム内のオゾン濃度が低下した後で、ドアのロック解除が行われる。
【図面の簡単な説明】
【００３０】
【図１】本実施の形態に係るドラム式洗濯機１の構成を示す側面断面図である。
【図２】図１のドラム式洗濯機１の概略構成を示す正面図である。
【図３】オゾン発生装置５８の構成を示す図である。
【図４】図１のドラム式洗濯機１の制御ブロック図である。
【図５】図１のドラム式洗濯機１のオゾン除去運転時のドラム２２内の状態変化を示す模式図である。
【図６】図１のドラム式洗濯機１の洗濯コースの動作を示す図である。
【図７】図１のドラム式洗濯機１の脱水工程の動作を示す図である。
【図８】洗濯が適正に終了した場合のドラム内の状態変化を示す模式図である。
【図９】洗濯が適正に終了しなかった場合のドラム内の状態変化を示す模式図である。
【発明を実施するための形態】
【００３１】
以下、本発明のドラム式洗濯機の実施形態である乾燥機能を有しないドラム式洗濯機１について、図面を参照して説明する。図１は、本実施の形態に係るドラム式洗濯機１の構成を示す側面断面図である。
【００３２】
ドラム式洗濯機１は、外観を構成する洗濯機本体である筐体１０を備える。筐体１０の前面１０ａは、中央部から上部にかけて傾斜し、傾斜した面に洗濯物の投入口１１が形成される。投入口１１は、開閉自在なドア１２により覆われる。
【００３３】
筐体１０内には、外槽２０が、複数のダンパー２１により弾性的に支持される。外槽２０内には、ドラム２２が回転自在に配される。外槽２０およびドラム２２は、水平方向に対し、後面側が低くなるよう傾斜する。これにより、ドラム２２は、水平方向に対して傾斜した方向に延びる回転軸周りに回転する。外槽２０の前面の開口部２０ａおよびドラム２２の前面の開口部２２ａは、投入口１１に対向し、投入口１１ともにドア１２により閉鎖される。ドラム２２の周壁には、多数の脱水孔２２ｂが形成される。さらに、ドラム２２の周壁には、３つのバッフル２３が周方向にほぼ等しい間隔で設けられる。
【００３４】
ドラム２２の後部には、回転翼２４が回転自在に配される。回転翼２４は、ほぼ円盤形状を有する。回転翼２４の表面には、中央部から径方向外側に延びる複数の突状部２４ａが形成される。回転翼２４は、ドラム２２と同軸に回転する。
【００３５】
外槽２０の後方には、ドラム２２および回転翼２４を駆動するトルクを発生させる駆動部３０が配される。駆動部３０は、モータ３０ａ（図４）を有している。
【００３６】
外槽２０の底部には、排水口部２０ｂが形成される。排水口部２０ｂは、排水ホース４０に接続される。排水ホース４０には、排水バルブ４０ａが設けられる。排水バルブ４０ａが開放されると、外槽２０内に溜められた水が排水ホース４０を通じて機外へ排出される。
【００３７】
筐体１０内の前方上部には、洗剤ボックス５０が配される。洗剤ボックス５０には、洗剤が収容される洗剤容器５０ａが前方から引き出し自在に収容される。洗剤ボックス５０は、外槽２０の上部に、注水管５１により接続される。洗剤ボックス５０は、給水ホース５２によって水道栓に接続される。給水ホース５２には、筐体１０内の後方上部に配された給水バルブ５２ａが設けられる。給水バルブ５２ａが開放されると、水道栓からの水道水が、給水ホース５２、洗剤ボックス５０および注水管５１を通じて外槽２０内に供給される。この際、洗剤容器５０ａに収容された洗剤が、水に押し流れて外槽２０内に供給される。
【００３８】
外槽２０には、回転ドラム２２の回転に起因する振動によってオン／オフする振動スイッチ３１が取り付けられている。
【００３９】
外槽２０の上部には、図２に示すように、排気口２０ｃが形成される。排気口２０ｃは、正面視でドラム２２の上方においてドラム２２の中央部に対して左側の領域に配置され、ドラム２２内と筐体１０の外部とを連通させる排気路５４が接続される。したがって、ドラム２２内の空気やオゾンが排気路５４を通じて機外へ排出される。排気路５４の一部には、活性炭が収容され、排気路５４を通過するガスは、活性炭を通過した後、機外へ排出される。したがって、排気路５４を通過するオゾンの一部は、活性炭により消費される。
【００４０】
ドラム式洗濯機１は、ドラム２２にオゾンを供給し、オゾン水により洗濯物をすすぐ工程（いわゆる除菌すすぎ）を行うことができる。したがって、図２に示すように、給水ホース５２とは別の給水路であるオゾン給水路５５が、ドラム２２の下方に接続されており、オゾン給水路５５には、オゾン水給水バルブ５５ａ及びオゾン発生装置５８が配置される。したがって、オゾン水給水バルブ５５ａ及びオゾン発生装置５８を制御することによりドラム２２へのオゾン水の給水を行う。
【００４１】
オゾン発生装置５８は、図３に示すように、オゾン給水路５５の一部に略水平に設けたオゾン発生領域に配設されるオゾン電解部５８ａを含む。オゾン発生装置５８は、一対のオゾン電解部５８ａを直列に通過させて水の電気分解によりオゾンを発生するようにしている。オゾン給水路５５のオゾン発生領域には、上流側に上向きに延びる第１接続部５５ｂが形成され、下流側に下向きに延びる第２接続部５５ｃが形成されている。
【００４２】
図４は、本実施形態のドラム式洗濯機１の制御ブロック図である。ドラム式洗濯機１の制御部６０は、図４に示すように、例えば、マイクロコンピュータなどで構成されており、ＣＰＵと、ドラム式洗濯機１の動作を制御するプログラムが格納されたＲＯＭと、上記プログラムを実行する際に用いられるデータ等が一時的に記憶されるＲＡＭとを備えている。ドラム式洗濯機１の運転動作は、この制御部６０によって制御される。
【００４３】
制御部６０は、偏芯検出部６０ａを有している。また、制御部６０には、操作部６１と、振動スイッチ３１と、モータ３０ａと、給水バルブ５２ａと、排水バルブ４０ａと、オゾン水給水バルブ５５ａと、オゾン発生装置５８と、ドアロック装置６２と、表示部６３とが接続されている。
【００４４】
偏芯検出部６０ａは、振動スイッチ３１からの検出信号に基づいて、脱水工程においてドラム２２が回転されている際に、ドラム２２内の洗濯物の偏り（偏芯）を検出する。具体的には、偏芯検出部６０ａは、振動スイッチ３１のオン、オフ信号において、オフ時間の間隔が所定時間より長い場合に、ドラム２２の振動を異常振動とみなし、ドラム２２内の洗濯物の偏りが所定の偏り以上であることを検出する。即ち、偏芯検出部６０ａは、洗濯物がドラム２２の周壁に均等に張り付かずに、所定量以上の偏りが発生した場合に、ドラム２２内の洗濯物の偏りが所定の偏り以上であることを検出する。本実施形態のドラム式洗濯機１では、ドラム２２内の洗濯物の偏りが所定の偏り以上である場合、脱水工程が中断され、脱水工程の中断が２以上の所定回数繰り返されると、脱水工程が中止される。
【００４５】
操作部６１は、電源ボタン６１ａと、スタートボタン６１ｂと、除菌すすぎボタン６１ｃとを含む。電源ボタン６１ａは、ドラム式洗濯機１の電源を投入および遮断するためのボタンである。スタートボタン６１ｂは、運転をスタートさせるためのボタンである。除菌すすぎボタン６１ｃは、除菌すすぎを行うためのボタンである。操作部６１は、ユーザに操作されたボタンに応じた入力信号を制御部６０に出力する。
【００４６】
制御部６０は、モータ３０ａを制御することにより、ドラム２２の回転数を制御する。
【００４７】
制御部６０は、給水バルブ５２ａ及び排水バルブ４０ａを制御することにより、外槽２０内への給水及び外槽２０内からの排水を行う。
【００４８】
制御部６０は、オゾン水給水バルブ５５ａ及びオゾン発生装置５８を制御することにより、除菌すすぎが行われる場合に、オゾン発生装置５８で発生したオゾンをドラム２２内に供給する。
【００４９】
制御部６０は、ドア１２をロック状態またはロック解除状態に切り替えるドアロック装置６２を制御することにより、ドア１２のロックおよびロック解除を行う。
【００５０】
制御部６０は、表示部６３を制御することにより、例えばドラム式洗濯機１が異常状態になった際に、異常状態を示すエラー表示等の表示を行う。本実施形態において、制御部６０がエラー表示を行う場合とは、ドラム式洗濯機１の各部を制御しても洗濯機の異常状態を解消するのが不可能である場合である。したがって、ドラム式洗濯機１では、例えば、脱水工程においてドラム２２内の洗濯物の偏りが所定の偏り以上であり、脱水の立ち上げができないことから脱水工程が中止された場合、制御部６０は、ユーザに洗濯物のほぐし動作を促すエラー表示を行う。
【００５１】
本実施形態のドラム式洗濯機１の脱水工程での制御について説明する。
【００５２】
（脱水工程）
本実施形態のドラム式洗濯機１では、脱水工程において、振動スイッチ３１のオン、オフ信号のオフ時間の間隔に基づいて、ドラム２２内の洗濯物の偏りを検出する。したがって、制御部６０は、ドラム２２内の洗濯物の偏りを考慮してモータ３０ａを制御する。
【００５３】
（ドラム２２内の洗濯物の偏りが所定の偏りより小さい場合）
制御部６０は、脱水工程において、現時点のドラム２２の回転数に応じた所定上昇速度でドラム２２の回転数を上昇させるように、モータ３０ａを制御する。
【００５４】
具体的には、制御部６０は、ドラム２２の回転数が１００ｒｐｍに至るまでは回転数を低い加速度でゆっくりと加速させるようにモータ３０ａを制御し、洗濯物を徐々にドラムの内周に均等になるように貼り付けるような運転を行う。その後は、制御部６０は、ドラム２２の回転数を上昇させる加速度を上げて目標回転数（例えば８００ｒｐｍ）まで回転数を上昇させるようにモータ３０ａを制御する。また、制御部６０は、脱水工程において、ドラム２２の回転数が目標回転数（例えば８００ｒｐｍ）まで到達すると、そのまま脱水運転を継続し、予め定められた所定脱水時間が経過した後に、脱水工程を終了する。
【００５５】
（ドラム２２内の洗濯物の偏りが所定の偏り以上である場合）
制御部６０は、脱水工程において、振動スイッチ３１のオン、オフ信号において、オフ時間の間隔が所定時間より長い場合に、ドラム２２内の洗濯物の偏りが所定の偏り以上であることから、脱水工程を中断する。
【００５６】
具体的には、制御部６０は、脱水工程が開始されると、上述したように、モータ３０ａを制御することにより、ドラム２２の回転数を段階的に上昇させるが、ドラム２２の回転数が目標回転数に到達するまでに、ドラム２２内の洗濯物の偏りが所定の偏り以上になると、脱水工程を中断して、洗濯物のほぐし運転を行う。
【００５７】
洗濯物のほぐし運転とは、ドラム２２内の洗濯物の偏りを解消するための運転である。具体的には、制御部６０は、ほぐし運転として、ドラム２２を低速（４０〜５０ｒｐｍ程度）で正転、反転を繰り返すことにより、洗濯物の攪拌を行い、洗濯物の偏りを解消する運転を行う。制御部６０は、予め定められた所定のほぐし運転時間が経過すると、ほぐし運転を終了する。すなわち、制御部６０は、洗濯機の異常状態である洗濯物の偏りが所定の偏り以上の状態を解消するために、ドラム式洗濯機１の各部を制御して、ほぐし運転を行う。ほぐし運転は、脱水運転を開始する前、または、洗濯物の偏りが大きくて脱水運転をやり直す際に行われる。
【００５８】
制御部６０は、洗濯物のほぐし運転を行った後で、モータ３０ａを制御して脱水工程を再開し、ドラム２２の回転数を段階的に上昇させる。制御部６０は、ほぐし運転を行った後で脱水工程を再開するが、脱水工程の中断が２以上の所定回数繰り返されると、脱水工程を中止する。すなわち、制御部６０は、ほぐし運転を行うことによりドラム２２内の洗濯物の偏りが解消されない場合、ドラム式洗濯機１の各部を制御しても洗濯機の異常状態を解消するのが不可能であるとして、脱水工程を中止する。その後、制御部６０は、オゾン除去運転を行った後で、ドラム式洗濯機１の表示部６３にエラー表示をして、ユーザに洗濯物のほぐし動作を促す処理を行う。
【００５９】
（オゾン除去運転）
オゾン除去運転とは、除菌すすぎ工程を行った後の脱水工程が中止された場合に、ドラム２２内のオゾン濃度を低下させる運転である。本実施形態において、オゾン除去運転は、洗濯物の偏りが所定の偏り以上であることにより脱水工程が中止された場合に行われる。具体的には、制御部６０は、ドラム２２内の洗濯物がドラム２２の中央部を通過するようにドラム２２を連続的に回転させる。本実施形態では、制御部６０は、ドラム２２を所定回転数（例えば５０ｒｐｍ）で回転させた状態を、所定のオゾン除去時間（例えば１０分間）継続する。
【００６０】
オゾン除去運転におけるドラム２２の所定回転数は、例えば４０〜６０ｒｐｍである。上述したように、ドラム２２の回転数が低すぎる場合（例えば２０〜３０ｒｐｍ）、ドラム２２内の下部にある洗濯物がドラムの周壁に沿って持ち上がらない。また、ドラム２２の回転数が高すぎる場合（例えば７０〜１００ｒｐｍ）、ドラム２２内の洗濯物がドラム２２の周壁に貼りついた状態でドラム２２が回転する。
【００６１】
したがって、オゾン除去運転におけるドラム２２の所定回転数は、ドラム２２が回転した際に、ドラム２２内の下部にある洗濯物がドラム２２の周壁に沿って持ち上げられ、その後、洗濯物が、ドラム２２の周壁から離れて、ドラム２２内の中央部を通過するように上方から下方に向かって落下する回転数に設定される。本発明において、ドラム２２内の中央部とは、ドラム２２内の空間においてドラム２２の回転軸の延長線が通過する部分の少なくとも一部である。また、オゾン除去運転におけるドラム２２の所定回転数は、ドラム式洗濯機１のドラム２２の容量にかかわらず、略同一の回転数である。
【００６２】
本実施形態のドラム式洗濯機１においても、従来の洗濯機と同様に、脱水工程が中止された場合、図５（ａ）に示すように、ドラム内のオゾン濃度は十分に低下していない。
【００６３】
その後、オゾン除去運転が行われると、図５（ｂ）及び図５（ｃ）に示すように、ドラム２２内の下部にある洗濯物がドラム２２の周壁に沿って持ち上げられ、その後、洗濯物が、ドラムの周壁から離れて、ドラム２２内の中央部を通過するように上方から下方に向かって落下する。オゾン除去運転では、洗濯物がドラム２２内の中央部を通過するように上方から下方に向かって落下する動作が繰り返される。
【００６４】
上述したように、ドラム２２内のオゾン濃度は、ドラム２２内の中央部において高くなっており、洗濯物がドラム２２内の中央部を通過する際に、ドラム２２内の中央部にあるオゾンが拡散して、排気口２０ｃに向かって流れやすくなり、ドラム２２内のオゾンは排気口２０ｃから排気される。
【００６５】
本実施形態において、排気口２０ｃは、上述したように、正面視でドラム２２の上方においてドラム２２内の中央部に対して左側の領域に配置される。オゾン除去運転では、ドラム２２は、図２に示した矢印の方向に回転する。したがって、ドラム２２内において排気口２０ｃに向かう空気の流れが形成され、ドラム２２内のオゾンが排気口２０ｃに向かって流れやすい。
【００６６】
本実施形態のドラム式洗濯機１は、洗濯機本体である筐体１０内に配置されたドラム２２に給水を行うための給水路であるオゾン水給水路５５と、オゾン水給水路５５内にオゾンを発生させるオゾン発生装置５８と、ドラム２２内と筐体１０の外部とを連通させる排気路５４と、ドラム２２内の洗濯物の偏りを検出する偏芯検出手段である偏芯検出部６０ａとを備え、オゾン発生装置５８で発生したオゾンがドラム２２に供給された状態ですすぎを行う除菌すすぎ工程を行った後で脱水工程を行うものであって、脱水工程において偏芯検出部６０ａで検出される洗濯物の偏りが所定の偏り以上であることにより脱水工程が中止された場合、ドラム２２内の洗濯物がドラム２２内の中央部を通過するようにドラム２２を回転させるオゾン除去運転が行われる。
【００６７】
これにより、本実施形態のドラム式洗濯機１では、除菌すすぎ工程を行った後の脱水工程において、洗濯物の偏りが所定の偏り以上であることにより脱水工程が中止された場合、ドラム２２内の洗濯物がドラム２２内の中央部を通過するようにドラム２２を回転させるオゾン除去運転が行われる。したがって、脱水工程が中止された際に、ドラム２２内の中央部にあるオゾンが拡散して排気路５４から排気されやすくなる。よって、脱水工程が中止された場合に、ドラム２２内のオゾン濃度を短時間で低下させて、ドラム式洗濯機１のドア１２を開放することが可能となる。
【００６８】
本実施形態のドラム式洗濯機１において、ドラム２２は、水平方向又は傾斜方向に延びる回転軸周りに回転可能に構成され、正面視でドラム２２の上方においてドラム２２内の中央部に対して片側の領域である左側の領域には、排気路５４と連通する排気口２０ｃが配置されており、オゾン除去運転では、ドラム２２の下端部が排気口２０ｃ側に移動するようにドラム２２が回転する。
【００６９】
これにより、本実施形態のドラム式洗濯機１では、ドラム２２内において排気口２０ｃに向かう空気の流れが形成され、ドラム２２内のオゾンが排気口２０ｃに向かって流れやすい。したがって、ドラム２２内のオゾンを排気口２０ｃからより短時間で排気できる。
【００７０】
次に、ドラム式洗濯機１の運転動作について、図６及び図７に基づいて説明する。ドラム式洗濯機１は、例えば、洗い工程、すすぎ工程および脱水工程を有し、且つ、乾燥工程を有しない洗濯コースの運転を行なうことができる。なお、本実施形態では、ユーザが、洗い工程終了までに、操作部６１の除菌すすぎボタン６１ｃを押し、所定の金額を投入することによって、オゾン発生装置５８によって生成されるオゾンを使用した除菌すすぎ工程が行われる場合について説明する。
【００７１】
＜ステップＳ１：洗い工程＞
ステップＳ１では、まず、使用者によって、ドア１２が開けられ、ドラム２２内に洗濯物が収容されて、ドア１２が閉じられる。洗い工程が開始されると、制御部６０は、通常の洗濯水を供給するための給水バルブ５２ａを開いて、外槽２０に水を供給する。この際、制御部６０は、排水バルブ４０ａを閉じていて、供給された水は、外槽２０内に溜められ、ドラム２２内にも溜められる。そして、所定量の水が供給されると、制御部６０は、給水バルブ５２ａを閉じて、モータ３０ａを駆動（ＯＮ）し、ドラム４を回転させる。
【００７２】
そして、所定時間の洗い動作が終了すると、制御部６０は、排水バルブ４０ａを開いて、外槽２０内の洗浄水を排水ホース４０を介して機外へ排水する。排水後、制御部６０は、モータ３０ａによってドラム２２を高速回転させ、洗濯物に含まれる洗濯水が脱水される中間脱水を行う。中間脱水によって洗濯物から脱水された洗濯水は、脱水孔２２ｂを通って外槽２０内に放出され、排水口部２０ｂから機外へ排水される。
【００７３】
＜ステップＳ２：すすぎ工程＞
ステップＳ１において、洗い工程が終了すると、ステップＳ２では、すすぎ工程が行われる。すすぎ工程が開始されると、制御部６０は、排水バルブ４０ａを閉じて、通常の洗濯水を供給するための給水バルブ５２ａを開いて、外槽３に所定量のすすぎ水を供給する。そして、所定量の水が供給されると、制御部６０は、給水バルブ５２ａを閉じて、モータ３０ａによってドラム２２を回転させて、ドラム２２内の洗濯物のすすぎを所定時間行う。
【００７４】
すすぎが終了すると、制御部６０は、排水バルブ４０ａを開いて、外槽２０内のすすぎ水を排水口部２０ｂから機外へ排水する。排水後、上記同様の脱水動作によって中間脱水が行われ、洗濯物に含まれるすすぎ水が脱水される。この脱水されたすすぎ水も上記同様に、排水口部２０ｂから機外へ排水される。
【００７５】
＜ステップＳ３：除菌すすぎ工程＞
ステップＳ２において、すすぎ工程が終了すると、ステップＳ３では、除菌すすぎ工程が行われる。除菌すすぎ工程が開始されると、制御部６０は、排水バルブ４０ａを閉じて、オゾン給水バルブ５５ａを開いて、オゾン給水路５５を介して外槽２０に所定量のすすぎ水を供給する。このとき、制御部６０は、オゾン電解部５８ａへの通電をＯＦＦからＯＮに切り替える。したがって、オゾン電解部５８ａは、洗濯水を電気分解してオゾンを発生させる。
【００７６】
そして、所定量の水が供給されると、制御部６０は、オゾン水給水バルブ５５ａを閉じて、モータ３０ａによってドラム２２を回転させて、オゾン水によってドラム２２内の洗濯物の除菌すすぎを所定時間行う。除菌すすぎが終了すると、制御部６０は、排水バルブ４０ａを開いて、外槽２０内のすすぎ水を排水口部２２ｂを介して機外へ排水する。
【００７７】
＜ステップＳ４：脱水工程＞
ステップＳ３において、除菌すすぎ工程が終了すると、ステップＳ４では、脱水工程が行われる。脱水工程が開始されると、制御部６０は、ドラム２２の回転数を目標回転数に向けて上昇させ、目標回転数に到達すると、所定脱水時間が経過するまで脱水運転を行う。脱水工程が終了すると、制御部６０は、ドラム２２の回転を停止し、洗濯コースの動作を終了する。脱水工程で脱水された水も上記同様に排水口部２２ｂから機外に排水される。
【００７８】
脱水工程において、ドラム２２内の洗濯物の偏りが大きい場合、脱水工程が中断または中止されるが、脱水工程の中断または中止を含む動作について、図７に基づいて説明する。
【００７９】
＜ステップＳ１０１＞
ステップＳ１０１において、脱水工程が開始されると、制御部６０は、ドアロック装置６２を制御して、ドア１２をロック状態にして、ドラム２２内の洗濯物の偏りを解消するためのほぐし運転を行う。
【００８０】
＜ステップＳ１０２＞
ほぐし運転が終了すると、ステップＳ１０２において、制御部６０は、ドラム２２の回転数を目標回転数に向けて上昇させる。
【００８１】
＜ステップＳ１０３＞
制御部６０は、ドラム２２の回転数を上昇させると共に、ドラム２２内の洗濯物の偏りが所定の偏りより大きいか否かを判定する。
【００８２】
＜ステップＳ１０４＞
ステップＳ１０３で、制御部６０が、ドラム２２内の洗濯物の偏りが所定の偏り以上であると判定した場合、制御部６０は、ドラム２２の回転を停止し、脱水工程を中断する。
【００８３】
＜ステップＳ１０５＞
その後、ステップＳ１０５において、制御部６０は、脱水工程を所定回数中断して停止したか否かを判定する。ステップＳ１０５で、制御部６０が、脱水工程を所定回数中断して停止してないと判定した場合、ステップＳ１０１に移行して、制御部６０は、再度、ほぐし運転を行う。
【００８４】
＜ステップＳ１０６＞
ステップＳ１０５で、制御部６０が、脱水工程を所定回数中断して停止したと判定した場合、ステップＳ１０６に進んで、制御部６０は、脱水工程を中止し、ドラム２２を５０ｒｐｍで連続的に回転させて、オゾン除去運転を開始する。
【００８５】
本実施形態のドラム式洗濯機１において、脱水工程において偏芯検出手段である偏芯検出部６０ａで検出される洗濯物の偏りが所定の偏り以上である場合に、脱水工程が中断されて、ほぐし運転が行われた後で脱水運転が再開されると共に、脱水工程の中断が２以上の所定回数繰り返された場合に、脱水工程が中止される。
【００８６】
これにより、本実施形態のドラム式洗濯機１では、脱水工程が中断された際に、洗濯物のほぐし動作により洗濯物の偏りが解消した場合、オゾン除去運転を行わないで脱水工程を継続できる。
【００８７】
本実施形態のドラム式洗濯機１において、オゾン除去運転は、ドラム２２を連続的に回転させることにより行われる。
【００８８】
これにより、本実施形態のドラム式洗濯機１では、ドラム２２の下部にある洗濯物をドラム２２の周壁に沿って持ち上げ、その後、洗濯物をドラム２２の中央部を通過するように移動させる動作が繰り返される。したがって、ドラム内のオゾン濃度を効率よく低下させることが可能となる。
【００８９】
本実施形態のドラム式洗濯機１において、オゾン除去運転におけるドラム２２の回転数は、４０〜６０ｒｐｍである。
【００９０】
これにより、本実施形態のドラム式洗濯機１では、ドラム２２の下部にある洗濯物をドラム２２の周壁に沿って持ち上げ、その後、洗濯物をドラム２２の中央部を通過するように移動させることが可能である。
【００９１】
＜ステップＳ１０７＞
ステップＳ１０７において、制御部６０は、オゾン除去運転が１０分継続したか否かを判定する。ステップＳ１０７で、制御部６０が、オゾン除去運転が１０分継続してないと判定した場合、ステップＳ１０６に進んで、制御部６０は、オゾン除去運転を継続する。
【００９２】
＜ステップＳ１０８＞
ステップＳ１０７で、制御部６０が、オゾン除去運転が１０分継続したと判定した場合、ステップＳ１０８に進んで、制御部６０は、ドラム２２の回転を停止させる。
【００９３】
＜ステップＳ１０９＞
ステップＳ１０９において、制御部６０は、ドアロック装置６２を制御して、ドア１２をロック解除状態にする。
【００９４】
本実施形態のドラム式洗濯機１において、ドラム２２の開口部２２ａを開閉するドア１２をロック状態またはロック解除に切り替えるドアロック装置６２を備え、ドアロック装置６２は、脱水工程が行われている際にドア１２をロック状態にすると共に、脱水工程が中止された場合、オゾン除去運転が行われた後で、ドア１２をロック解除状態にするように制御される。
【００９５】
これにより、本実施形態のドラム式洗濯機１では、脱水工程が中止された場合、オゾン除去運転が行われることによりドラム２２内のオゾン濃度が低下した後で、ドア１２のロック解除が行われる。
【００９６】
＜ステップＳ１１０＞
その後、ステップＳ１１０において、制御部６０は、表示部６３に対してエラー表示をして、ユーザに洗濯物のほぐし動作を促す処理を行う。
【００９７】
＜ステップＳ１１１＞
ステップＳ１０３で、制御部６０が、ドラム２２内の洗濯物の偏りが所定の偏りより小さいと判定した場合、ステップＳ１１１に進んで、制御部６０は、脱水工程を継続し、ドラム２２の回転を目標回転数まで上昇させて、所定脱水時間が経過したか否かを判定する。
【００９８】
＜ステップＳ１１２＞
ステップＳ１１１で、制御部６０が、所定脱水時間が経過したと判定した場合、ステップＳ１１２において、制御部６０は、ドラム２２の回転を停止させる。
【００９９】
＜ステップＳ１１３＞
その後、ステップＳ１１３において、制御部６０は、ドアロック装置６２を制御して、ドア１２をロック解除状態にする。
【０１００】
以上、本発明の実施形態について説明したが、各部の具体的な構成は上述した実施形態のみに限定されるものではない。
【０１０１】
上記実施形態では、ドラム２２が、水平方向に対して傾斜方向に延びる回転軸周りに回転するが、ドラム２２は、水平方向に延びる回転軸周りに回転してよい。
【０１０２】
上記実施形態では、脱水工程の中断が２以上の所定回数繰り返された後で脱水工程が中止されてオゾン除去運転が行われるが、脱水工程が中断された場合に、ほぐし運転を実施せずに、脱水工程が中止されてオゾン除去運転が行われてよい。
【０１０３】
上記実施形態では、オゾン除去運転において、ドラム２２が連続的に回転されるが、ドラム２２が間欠的に回転されてよい。
【０１０４】
上記実施形態では、排気路５４と連通する排気口２０ｃが、正面視でドラム２２の上方においてドラム２２内の中央部に対して片側の領域に配置され、オゾン除去運転において、ドラム２２の下端部が排気口２０ｃ側に移動するようにドラム２２が回転するが、オゾン除去運転において、ドラム２２の下端部が排気口２０ｃと反対側に移動するようにドラム２２が回転してよい。また、オゾン除去運転において、ドラム２２の下端部が排気口２０ｃ側に移動する方向の回転と、ドラム２２の下端部が排気口２０ｃと反対側に移動する方向の回転とが、交互に行われてよい。
【０１０５】
上記実施形態では、偏芯検出部６０ａが、振動スイッチ３１からの検出信号に基づいて、ドラム２２内の洗濯物の偏り（偏芯）を検出しているが、ドラム２２内の洗濯物の偏りを検出する方法は、これに限られない。
【０１０６】
上記実施形態では、乾燥機能を有しないドラム式洗濯機１について説明したが、本発明は、乾燥機能を有するドラム式洗濯機に適用可能である。乾燥機能を有するドラム式洗濯機において、例えば乾燥工程用のファンが故障している場合、本発明の効果が得られる。
【０１０７】
その他の構成も、本発明の趣旨を逸脱しない範囲で種々変形が可能である。
【符号の説明】
【０１０８】
１  ドラム式洗濯機
１０  筐体（洗濯機本体）
１２  ドア
２０ｃ  排気口
２２  ドラム
２２ａ  ドラムの開口部
５４  排気路
５５  オゾン水給水路（給水路）
５８  オゾン発生装置
６０ａ  偏芯検出部（偏芯検出手段）
６２  ドアロック装置
【図１】
2020068989.tif 000003
【図２】
2020068989.tif 000004
【図３】
2020068989.tif 000005
【図４】
2020068989.tif 000006
【図５】
2020068989.tif 000007
【図６】
2020068989.tif 000008
【図７】
2020068989.tif 000009
【図８】
2020068989.tif 000010
【図９】
2020068989.tif 000011